(57)【要約】【課題】一般の宿泊客に迷惑をかけることなく、飼い主の傍で快適に宿泊できると共に、宿泊場所以外でも飼い主が短時間安心して預けることができるようにする。【解決手段】エントランス２とペット室１０とが仕切り壁やドア４を以って画成されたユニット構造のペットハウス１であって、エントランス２はシンク７を備え、ペット室１０は、複数個のケージ１１と、各ケージ１１内のペットを撮像してその撮像信号をモニタ１２へ出力する首振り可能なカメラ１３と、ペット室内の温度をコントロールするエアコンデイショナー１４と、照明器具１５とを各備え、さらにペット室１０の壁面、天井、床のいずれかに、換気扇２６を取り付け、該換気扇２６に連通して設けたダクトホース２７の他端を、複数の分岐ホース２８に分岐し、該各分岐ホース２８をペット室１０内の各ケージ１１に連通して設けて構成する。【選択図】　　　　　図１
2004024186.tif 000002
【特許請求の範囲】
【請求項１】
エントランスとペット室とが仕切り壁やドアを以って画成されたユニット構造のペットハウスであって、前記エントランスは、人間の手足やペットの躰等を洗うことのできるシンクを備え、一方前記ペット室は、ペット収納用の複数個のケージと、各ペット収納用のケージ内のペットを撮像してその撮像信号を外部のモニタへ出力する首振り可能なカメラと、ペット室内の温度をコントロールするエアコンデイショナーと、照明器具とを各備え、さらに前記ペット室の壁面、天井、床のいずれかに、ペットの抜毛、臭等を外部に排出する換気扇を取り付け、該換気扇に連通して設けたダクトホースの他端を、複数の分岐ホースに分岐し、該各分岐ホースをペット室内のペット収納用の各ケージに連通して設けたことを特徴とするペット用の預り施設。
【発明の詳細な説明】
【０００１】
【発明の属する技術分野】
本発明は、ペット用の預り施設、詳しくは、ホテル、旅館、民宿、遊園地、デパート、スーパーマーケット、パチンコ屋等々に簡単に設置してペットの飼い主である宿泊者と同じ敷地内にペットが快適に宿泊できたり、あるいはペットの飼い主が安心して短時間だけペットを預けることができる施設に関する。
【０００２】
【従来の技術】
従来、ペットの飼い主が旅行する場合、飼っているペットをペットホテルや宿泊施設のある犬猫病院等に預けることが多かったが、近年、ペットブームと言われるほどペットを飼う人が飛躍的に増大するのにつれて、ペットと同伴の宿泊を認めるホテル、旅館等も徐々に多くなってきている。
【０００３】
また、従来、飼い主がデパート、スーパーマーケット、パチンコ屋等を利用する場合、駐車場に置いた車の中にペットを置いておくことも多かった。
【０００４】
【発明が解決しようとする課題】
しかしながら、前記のようにペットの宿泊を認めるホテル、旅館等の場合、一般の宿泊客と同一施設内にペットを宿泊させるため、ペットの抜毛、臭、泣き声等によって他の宿泊客に迷惑をかけたり、あるいはペットが宿泊した部屋には抜毛が落ちていたり、臭が残る等のため、その後の宿泊客から苦情が出るおそれがある等の問題があった。
【０００５】
また、車の中にペットを放置すれば、ペットは馴れない環境からストレスを受け易く、さらに室外の駐車場では、若し夏の炎天下に車中に置かれた場合、短時間で脱水症状を起し易く、大事なペットが病気になったり、あるいは死亡するおそれがある等の問題があった。
【０００６】
本発明は、前記した従来の技術の有する問題点を解消するもので、一般の宿泊客に迷惑をかけることなく、飼い主の傍で快適に宿泊できると共に、宿泊場所以外でも飼い主が短時間安心して預けることができるペット用の預り施設を提供することを目的とする。
【０００７】
【課題を解決するための手段】
上記目的を達成するために、本発明に係るペット用の預り施設は、エントランスとペット室とが仕切り壁やドアを以って画成されたユニット構造のペットハウスであって、前記エントランスは、人間の手足やペットの躰等を洗うことのできるシンクを備え、一方前記ペット室は、ペット収納用の複数個のケージと、各ペット収納用のケージ内のペットを撮像してその撮像信号を外部のモニタへ出力する首振り可能なカメラと、ペット室内の温度をコントロールするエアコンデイショナーと、照明器具とを各備え、さらに前記ペット室の壁面、天井、床のいずれかに、ペットの抜毛、臭等を外部に排出する換気扇を取り付け、該換気扇に連通して設けたダクトホースの他端を、複数の分岐ホースに分岐し、該各分岐ホースをペット室内のペット収納用の各ケージに連通して設けたことを特徴とする。
【０００８】
【発明の実施の形態】
以下、本発明に係るペット用の預り施設の実施の形態を図面に基づいて詳細に説明する。
図１は、同上施設の一実施形態を示す概略平面図であり、図２は、図１と同じ形態の概略正面図であり、図３は、同上施設に設置されたケージとカメラ及び外部のモニタを示す概略斜視図である。
【０００９】
同上ペット用の預り施設は、エントランス２と、ペット室内１０とを有する移動可能なペットハウス１からなる。
【００１０】
前記エントランス２は、仕切り壁３とアルミサッシ製の片引きドア４及びそのドア袋５とによってペット室１０内と画成されている。
【００１１】
エントランス２の外側には、片開式の外部ドア６が設けられ、内側の片側（右隣り）には、人間が自分の手足やペットの躰を洗うステンレス製のシンク７が設置されている。図中８は、外部ドア６の外側に敷設されたスノコ（木製）を示す。
【００１２】
前記ペット室１０の内部には、ペット収納用の複数個のケージ１１と、各ペット収納用のケージ１１内部のペットを撮像してその撮像信号を外部のモニタ１２へ出力するカメラ１３と、ペット室１０内の温度をコントロールするエアコンディショナー１４と、照明器具１５とを各備えている。
【００１３】
ペット収納用のケージ１１は、ペットが収納可能なスペースを有するステンレス板製の箱形の本体１６と、その正面に設けられたステンレスフレーム製の扉１７とからなり、扉１７はロック機構１８を操作することにより開閉できるようになっている。
【００１４】
カメラ１３は、駆動用のモータ等が内蔵されたケース１９上部に設けられた矩形の回転プレート２０に載置され、モータの駆動軸に連結された軸２１が所要角度回転することにより、ペット室１０内の全てのケージ１１内に収納されているペットを撮像できるように首振り可能に形成されている。
【００１５】
したがって、カメラ１３のケース１９は、全てのケージ１１内のペットを撮像できる場所、例えば本実施形態ではエントランス２の仕切り壁３の先端に設置される。なお、ペット室１０のスペースや構造に応じて複数個のカメラ１３を設置してもよい。
【００１６】
さらに、前記カメラ１３には、図３に示したようにケース１９を介して配線２２が接続され、該配線２２の他端は、ペットハウス１外部、例えばホテル、旅館等の場合は事務室、ロビー、宿泊客の居室等のモニタ２３へコントロール機構２４を介して接続されている。
【００１７】
而して、前記ペット室１０の壁面には、ペットの抜毛、臭等を外部に排出するファン２５内蔵の換気扇２６を埋設して取り付け、該換気扇２６の内側に連通して設けたダクトホース２７の他端を、複数本の分岐ホース２８に分岐すると共に、該各分岐ホース２８の後端をペット室１０内のペット収納用の各ケージ１１の頂部に連通して設ける。
【００１８】
ところで、前記換気扇２６は図示の実施形態では、ペット室１０へ壁面に取り付けられているが、これに限られるものではなく、ペット室１０の天井や床へ取り付けることもできる。
【００１９】
また、ペット室１０の内部には、ペットの手入れができるグルーミング台（図示しない）を設置することもできる。
【００２０】
さらに、前記ペットハウス１は、防音、防寒、防火材にて空気層を介在させた二重壁と軽量鉄骨にて構成され、既述したペット専用の宿泊設備一式をユニット構造にまとめて移動可能な組み立て家屋として構成される。しかし、この家屋の組み立ては、予め組み立てる方式でも、また、現地で組み立てる方式のいずれでもよい。さらにまた、ホテル、旅館等の宿泊施設やスーパーマーケット、パチンコ屋等の僅かなスペースに設置できるように、例えば床面積１０ｍ２以下に形成することが望ましい。
【００２１】
次に、本発明の作動について説明する。
先ず、飼い主等は、ペットハウス１のエントランス２の外部ドア６及び内側のドア４を開けてペット室１０内にペットを連れ込み、空いているケージ１１内部に収納する。ペット室１０は、エントランス２と仕切り壁３やドア４等によって画成されているため、ペットの鳴き声等の外部の漏れる量を少なくすることができる。
【００２２】
ペット室１０内部には、首振り可能なカメラ１３が設置されているため、宿泊施設側の人は、預かっているペットの様子をいつでも外部のモニタ１２で観察することができ、また、飼い主は自分のペットの様子をいつでも外部のモニタ１２で観察することができる。
【００２３】
また、ペット室１０内部には、エアコンディショナー１４が設置されているため、ケージ１１内のペットは季節に関係なく快適な状態で過すことができる。なお、躰が汚れているペットは、エントランス２に設置されたシンク７で洗うことができるし、また、その後に必要に応じてグルーミング台で手入れをすることもできる。
【００２４】
さらに、ケージ１１内のペット抜毛、臭等は、換気扇２６のファン２５を作動することにより、分岐ホース２８、ダクトホース２７を介して換気扇２６からペットハウス１の外部に排出されるため、ケージ１１内部の環境を快適な状態に保つことができる。
【００２５】
さらにまた、例え細菌等で汚染されたペットがケージ１１内に収納されていても、その菌を吸引して直ちにケージ１１から外部に排出できるため、他のケージ１１内に収納されているペットに感染させる可能性が少ない。
【００２６】
【発明の効果】
本発明は以上詳述したように構成されたものであるから、飼い主はペットを他人に迷惑をかけることなく安心して預けることができ、一方、ペットは細菌等に汚染されることなく、清潔な状態で快適に過すことができるものである。
【００２７】
また、ペットハウス全体はユニット構造に形成されているため、移動および組立てがきわめて簡単に行え、かつ低コストである。
【００２８】
かくして、本発明は、ペット同伴で飼い主の行動が制限される中で、ペット飼い主の宿泊潜在需要を開拓するのに役立つものである。
【図面の簡単な説明】
【図１】本発明に係るペット用の預り施設の一実施形態を示す概略平面図である。
【図２】同上施設の一実施形態を示す概略正面図である。
【図３】同上施設に設置されたケージとカメラおよび外部のモニタを示す概略斜視図である。
【符号の説明】
１　　ペットハウス
２　　エントランス
３　　仕切り壁
４　　片引きドア
７　　シンク
１０　ペット室
１１　ケージ
１２　モニタ
１３　カメラ
１４　エアコンコンディショナー
１５　照明器具
２６　換気扇
２７　ダクトホース
２８　分岐ホース
【図１】
2004024186.tif 000003
【図２】
2004024186.tif 000004
【図３】
2004024186.tif 000005